(57)【要約】【課題】２画面表示開始命令が入力されると、映像信号が入力されている入力端子が自動的に選択され、２画面で表示される映像表示装置を提供すること。【解決手段】リモコン５４により２画面表示を開始するための操作がなされると、制御部６６は、入力セレクター５６ａおよび入力セレクター５６ｂにより入力端子Ｔ１〜Ｔ６を順次選択させる。また、制御部６６は、切り替えた入力端子ごとに、識別部５７ａおよび識別部５７ｂにより映像信号が入力されているか否かを識別させる。入力端子に信号が入力されている場合、制御部６６は、選択された入力端子に対応する映像を表示部に表示させる。以上の映像ソース選択方法を２画面のうち少なくとも一方に適用し、１つの表示デバイスに２画面で表示する。【選択図】図１
2011205419.tif 000002
【特許請求の範囲】
【請求項１】
映像信号にて表される映像を表示部に表示する映像表示装置であって、
複数の映像ソースから供給される前記映像信号を、前記映像信号ごとに入力するための複数の入力端子と、
前記複数の入力端子から所望の入力端子を選択する入力セレクターと、
前記選択された入力端子に、前記映像信号が入力されているか否かを識別する識別部と、
前記入力セレクターが選択した、少なくとも２つの入力端子から入力された前記映像信号を、１つの画像に合成する複数画像合成処理を行う映像信号処理部と、
前記複数画像合成処理を開始および終了するための操作を受け付ける操作部と、
を備え、
前記操作部により前記複数画像合成処理を開始するための操作がなされると、前記入力セレクターは前記複数の入力端子を所定の順に選択し、前記識別部は前記選択された入力端子における前記映像信号の入力の有無を識別し、前記識別部により前記映像信号の入力が確認された入力端子からの映像信号による映像を、前記合成画像の１つとして前記表示部に表示することを特徴とする映像表示装置。
【請求項２】
請求項１に記載の映像表示装置であって、さらに、前記複数画像合成処理を終了した際に選択されていた入力端子を記憶する記憶部を備え、
前記入力セレクターは、前記操作部により前記複数画像合成処理を開始するための操作がなされると、前記記憶部に記憶されている前記入力端子を優先的に選択することを特徴とする映像表示装置。
【請求項３】
請求項１または２に記載の映像表示装置であって、さらに、少なくとも２つの入力端子の組み合わせについて２画面表示可能か否かを判別する判別手段を備え、
前記入力セレクターにより前記複数の入力端子を選択する場合に、前記判別手段により、他の画面に選択された入力端子との組み合わせについて複数画面表示が可能か否かを判別し、前記入力セレクターは複数画面表示が可能な入力端子を選択することを特徴とする映像表示装置。
【請求項４】
映像信号にて表される映像を表示する映像表示方法であって、
複数の映像ソースから供給される前記映像信号が入力される複数の入力端子を、所定の順に選択し、
前記選択された入力端子に、前記映像信号が入力されているか否かを識別し、
前記映像信号の入力が確認された、少なくとも２つの入力端子から入力された前記映像信号による映像を、１つの画像に合成して表示することを特徴とする映像表示方法。
【発明の詳細な説明】
【技術分野】
【０００１】
本発明は、映像表示装置及び映像表示方法に関する。
【背景技術】
【０００２】
従来のプロジェクターなどの映像表示装置には、複数の映像ソース（パーソナルコンピューター（ＰＣ）、ＤＶＤ、ＶＴＲ、その他の映像機器、インターネット等）から２つの映像ソースを選択し、１つの表示デバイスに２画面で表示することが可能なものがある。
【０００３】
このような映像表示装置では、モードスイッチやリモコン等により２画面表示開始命令を入力すると、ＯＳＤにより映像ソースの一覧が表示される。一覧から２画面表示したい映像ソースを選択することにより、任意の映像ソースで２画面表示が可能になる。
【０００４】
また、ＯＳＤでの映像ソース一覧が表示される代わりに、ある特定の映像ソースが強制的に選択されるものもある。これにより、映像ソースを選択する手間が省略でき、速やかに２画面表示を開始することができる。
また、特許文献１には、２つの信号源からの画像信号の有無に応じて、１画面表示と２画面表示を自動的に切り替えて表示する、表示装置が開示されている。
【先行技術文献】
【特許文献】
【０００５】
【特許文献１】特開２００１−３４６１２１号公報
【発明の概要】
【発明が解決しようとする課題】
【０００６】
しかしながら、従来の２画面表示に対応する映像表示機器では、２画面表示開始命令を入力するだけで、意図した映像ソースの組み合わせで２画面表示することができないという問題があった。
例えば、ＯＳＤにより映像ソースの一覧が表示される映像表示装置の場合は、２画面表示開始命令を入力した後に表示させたい映像ソースを選択しなければならない。
また、２画面表示開始時に、ある特定の映像ソースが強制的に選択される映像表示装置の場合は、もし表示された映像ソースが意図したものではなければ、映像ソースを切り替える操作を行わなければならない。
【０００７】
一方、特許文献１に開示されている表示装置では、外部から切替信号を与えることなく、１画面表示と２画面表示との切り替えを自動的に行わせる技術が示されているが、これは入力系統からの映像信号の同期信号の有無から判断して画面の切り替えを行うものであり、２画面表示開始命令の入力時に意図した映像ソースの組み合わせが自動的に選択されるものではない。
【０００８】
さらに、上記の課題は、１つの表示デバイスに３画面以上表示できる映像表示装置についても同様である。
【課題を解決するための手段】
【０００９】
本発明は、上述の課題の少なくとも一部を解決するためになされたものであり、以下の形態または適用例として実現することが可能である。
【００１０】
［適用例１］本適用例に係る映像表示装置は、映像信号にて表される映像を表示部に表示する映像表示装置であって、複数の映像ソースから供給される前記映像信号を、前記映像信号ごとに入力するための複数の入力端子と、前記複数の入力端子から所望の前記入力端子を選択する入力セレクターと、前記選択された入力端子に、前記映像信号が入力されているか否かを識別する識別部と、前記入力セレクターが選択した、少なくとも２つの入力端子から入力された前記映像信号を、１つの画像に合成する複数画像合成処理を行う映像信号処理部と、前記複数画像合成処理を開始および終了するための操作を受け付ける操作部と、を備え、前記操作部により前記複数画像合成処理を開始するための操作がなされると、前記入力セレクターは前記複数の入力端子を所定の順に選択し、前記識別部は前記選択された入力端子における前記映像信号の入力の有無を識別し、前記識別部により前記映像信号の入力が確認された入力端子からの映像信号による映像を、前記合成画像の１つとして前記表示部に表示することを特徴とする。
【００１１】
本適用例によれば、２画面表示を開始するための操作を受け付けると、入力端子ごとに映像信号が入力されているか否かを識別し、映像信号が入力されている入力端子を優先して選択し２画面表示を行う。これによって、２画面表示開始命令を入力するだけで、映像信号が入力されている入力端子が確実に選択され、意図した映像ソースの組み合わせで２画面表示を行うことが可能となる。
【００１２】
［適用例２］上記適用例に記載の映像表示装置において、さらに、前記複数画像合成処理を終了した際に選択されていた入力端子を記憶する記憶部を備え、前記入力セレクターは、前記操作部により前記複数画像合成処理を開始するための操作がなされると、前記記憶部に記憶されている前記入力端子を優先的に選択することを特徴とする。
【００１３】
本適用例によれば、２画面表示を開始するための操作を受け付けると、映像信号が入力されている入力端子の中から、特に前回２画面表示を終了した際に選択されていた入力端子が優先される。これによって、２画面表示開始命令を入力するだけで、前回の使用状況を速やかに再現することができる。
【００１４】
［適用例３］上記適用例に記載の映像表示装置において、さらに、少なくとも２つの入力端子の組み合わせについて２画面表示可能か否かを判別する判別手段を備え、前記入力セレクターにより前記複数の入力端子を選択する場合に、前記判別手段により、他の画面に選択された入力端子との組み合わせについて複数画面表示が可能か否かを判別し、前記入力セレクターは複数画面表示が可能な入力端子を選択することを特徴とする。
【００１５】
本適用例によれば、２画面表示を開始するための操作を受け付けた際に、入力端子の組み合わせを考慮し、２画面投写が可能な入力端子のみを対象として信号入力の有無が識別される。これによって、表示すべき映像ソースを選択するまでの時間が短縮され、速やかに２画面表示を行うことが可能となる。
【００１６】
［適用例４］本適用例に係る映像表示方法は、映像信号にて表される映像を表示する映像表示方法であって、複数の映像ソースから供給される前記映像信号が入力される複数の入力端子を、所定の順に選択し、前記選択された入力端子に、前記映像信号が入力されているか否かを識別し、前記映像信号の入力が確認された、少なくとも２つの入力端子から入力された前記映像信号による映像を、１つの画像に合成して表示することを特徴とする。
【００１７】
２画面表示を開始するための操作を受け付けると、入力端子ごとに映像信号が入力されているか否かを識別し、映像信号が入力されている入力端子を優先して選択し２画面表示を行う。これによって、２画面表示開始命令を入力するだけで、映像信号が入力されている入力端子が確実に選択され、意図した映像ソースの組み合わせで２画面表示を行うことが可能となる。
【図面の簡単な説明】
【００１８】
【図１】第１実施形態のプロジェクターの概略構成図。
【図２】第１実施形態における表示画面の一例を示す図。
【図３】第１実施形態の映像ソース選択方法を示したフローチャート。
【図４】第１実施形態における入力端子の選択順番を示す図。
【図５】第１実施形態における表示画面の一例を示す図。
【図６】第１実施形態における表示画面の一例を示す図。
【図７】第３実施形態のプロジェクターの概略構成図。
【図８】第３実施形態における選択可能な映像ソースの組み合わせを示す表。
【図９】第３実施形態における入力端子の選択順番を示す図。
【発明を実施するための形態】
【００１９】
以下、添付図面に基づいて、本発明の実施形態を詳細に説明する。
【００２０】
（第１実施形態）
《プロジェクターの構成》
図１は、本発明の第１実施形態にかかる映像表示装置としてのプロジェクターの概略構成を示すブロック図である。以下、プロジェクター１００の概略構成について、図１を用いて説明する。
プロジェクター１００は、光源としてのランプ５１が放射した白色光を、赤色光、青色光、緑色光の、光の３原色成分に分離し、色光毎に表示部としての各色光用の液晶ライトバルブ５２Ｒ，５２Ｇ，５２Ｂにより映像ソースから供給される映像信号に応じて変調し、再度合成したフルカラーの変調光を投写レンズ６５によりスクリーンＳＣに拡大投写する、いわゆる「液晶３板式プロジェクター」である。
なお、液晶ライトバルブ５２Ｒ，５２Ｇ，５２Ｂは、光変調素子であり、それぞれが赤色光、緑色光、青色光用として設けられ、光学部６４の構成に含まれている。
【００２１】
プロジェクター１００は、ランプ５１、操作部５３、リモコン５４、操作受付部５５、入力端子Ｔ１〜Ｔ６、入力セレクター５６ａ，５６ｂ、識別部５７ａ，５７ｂ、映像コンバーター５８ａ，５８ｂ、映像信号処理部５９、フレームメモリー６０、映像信号補正部６１、ＯＳＤメモリー６２、液晶パネル駆動部６３、光学部６４、投写レンズ６５、制御部６６、記憶部６７、電源部６８、ランプ駆動部６９などから構成されている。
ランプ５１は、例えば、高圧水銀ランプや、メタルハライドランプ及びハロゲンランプなどの高輝度が得られる放電式ランプである。
【００２２】
操作部５３は、プロジェクター１００の本体上面に設けられており、プロジェクター１００を操作するための複数の操作用ボタンを備えている。複数の操作用ボタンには、プロジェクター１００を起動およびシャットダウンするための「電源ボタン」や、映像信号を供給している映像ソースを探索するための「映像探索ボタン」、所望の映像ソースを選択するための映像ソースごとの「ソース選択ボタン」（いずれも図示せず）などが含まれている。
操作部としてのリモコン５４は、プロジェクター１００を遠隔操作するためのリモコンであり、操作部５３と同様のプロジェクター１００を操作するための複数の操作用ボタンを備えている。また、複数の操作用ボタンには２画面表示を開始・終了するための「２画面設定ボタン」も含まれる。
操作受付部５５は、操作部５３あるいはリモコン５４への操作がなされると、当該操作を受付け、制御部６６へ各種動作のトリガーとなる操作信号を送る。
【００２３】
入力端子Ｔ１〜Ｔ６は、複数の映像ソースとしての外部電子機器である、パーソナルコンピューターＰＣ１，ＰＣ２，ＰＣ３、デジタルプレーヤーＤＶ、ビデオプレーヤーＶＩ、および、ブルーレイディスクプレーヤーＢＤから供給される映像信号を、映像信号ごとにプロジェクター１００に入力するための入力端子である。
入力端子Ｔ１，Ｔ２は、例えば、ミニＤ−sub１５ピン端子であり、パーソナルコンピューターＰＣ１，ＰＣ２から供給されるアナログＲＧＢ信号に対応している。また、ミニＤ−sub１５ピン端子の持つ１５ピンの信号線の使用割り当てを変えることにより、コンポーネント信号も入力することができる。
入力端子Ｔ３は、例えば、ＤＶＩ−Ｄ端子であり、パーソナルコンピューターＰＣ３から供給されるデジタルＲＧＢ信号に対応している。
入力端子Ｔ４は、例えば、Ｓ端子であり、ＤＶＤプレーヤーＤＶや、Ｓビデオプレーヤーなどから供給されるＳ信号に対応している。
入力端子Ｔ５は、例えば、１ＲＣＡ端子であり、ビデオプレーヤーＶＩや、ＴＶチューナーなどから供給されるコンポジット信号に対応している。
入力端子Ｔ６は、例えば、ＨＤＭＩ端子であり、ブルーレイディスクプレーヤーＢＤや、ＤＶＤプレーヤーＤＶなどから供給されるデジタルＲＧＢ信号やデジタルコンポーネント信号に対応している。
プロジェクター１００の入力端子としては、上記の映像入力端子の他に、音声信号を入力するための、例えば、ステレオミニジャックなどの音声入力端子や、外部のパーソナルコンピューターとプロジェクター１００との間で各種の情報のやり取りを行うためのＵＳＢ端子、ＲＳ２３２Ｃ端子などが設けられているが、説明を簡単にするため図示を省略している。
【００２４】
以下、外部電子機器である、パーソナルコンピューターＰＣ１，ＰＣ２，ＰＣ３、デジタルプレーヤーＤＶ、ビデオプレーヤーＶＩ、および、ブルーレイディスクプレーヤーＢＤのことを、映像ソース名での表現も交えながら説明する。
具体的には、パーソナルコンピューターＰＣ１，ＰＣ２のことを、映像ソース名では、「Computer1」，「Computer2」と表現する。同様に、パーソナルコンピューターＰＣ３を「DVI-D」、ＤＶＤプレーヤーＤＶを「S-Video」、ビデオプレーヤーＶＩを「Video」、ブルーレイディスクプレーヤーＢＤを「HDMI」と表現する。
入力セレクター５６ａは、入力端子Ｔ１〜Ｔ６の選択スイッチであり、制御部６６からの選択信号に従い、６つの入力端子Ｔ１〜Ｔ６の内、いずれか１つを選択する。これにより、選択された入力端子に対応する映像ソースが、映像信号Vinを供給している場合、プロジェクター１００は、当該映像信号Vinによる映像を投写する。
プロジェクター１００の出荷段階におけるデフォルトの映像ソースは、「Computer1」となっている。プロジェクター１００が起動した後、例えば、リモコン５４の「映像探索ボタン」を操作すると、入力セレクター５６ａは、入力端子Ｔ１〜Ｔ６を順番に選択することにより、映像ソースを、「Computer1」，「Computer2」，「DVI-D」，「S-Video」，「Video」，「HDMI」の順番で切替える。
また、プロジェクター１００のシャットダウン時には、シャットダウンの時点で選択されていた映像ソース情報が記憶部６７に記憶され、次回起動時において再現される。
【００２５】
識別部５７ａは、例えば、コンパレーターであり、入力セレクター５６ａにより選択されている映像ソースから映像信号Vinが供給されているか否かを、映像信号Vinに含まれている同期信号の有無を確認することにより、識別し、映像信号Vinの入力の有無を伝える識別信号を制御部６６に送る。
映像コンバーター５８ａは、アナログ映像信号VinをＡ／Ｄ変換し、デジタル映像信号Dinとして出力する。これは、映像信号Vinに各種の映像信号処理を施すために行なわれる。また、デコーダーを内蔵している。
具体的には、映像コンバーター５８ａは、映像信号Vinが映像ソース「Computer1」，「Computer2」のアナログＲＧＢ信号の場合は、そのままＡ／Ｄ変換処理を含む映像信号処理を施す。映像信号Vinが映像ソース「S-Video」のＳ信号または、「Video」のコンポジット信号の場合は、内蔵するデコーダーにより、コンポーネント信号に変換してからＡ／Ｄ変換処理を含む映像信号処理を施す。映像ソース「DVI-D」，「HDMI」のデジタル信号の場合は、Ａ／Ｄ変換処理は行われない。
【００２６】
入力セレクター５６ｂ，識別部５７ｂ，映像コンバーター５８ｂは、それぞれ入力セレクター５６ａ，識別部５７ａ，映像コンバーター５８ａと同等の役割を持ち、２画面表示を行う際に、両者は独立して各処理を行う。リモコン５４の「２画面設定ボタン」を操作すると、入力セレクター５６ｂは、入力端子Ｔ１〜Ｔ６のうち、入力セレクター５６ａにより選択されている映像ソースと異なる映像ソース、あるいは同一の映像ソースを選択する。識別部５７ｂは、入力セレクター５６ｂにより選択されている映像ソースからの信号の有無を識別し、映像コンバーター５８ｂは、映像信号Vinに各種の映像信号処理を施す。
【００２７】
映像信号処理部５９は、映像信号Dinを、液晶ライトバルブ５２Ｒ，５２Ｇ，５２Ｂで表示するのに適した信号とするために、映像データをフレームメモリー６０に書き込み、所定の条件で読み出すなどの映像信号処理を行う。映像信号処理には、映像信号Dinで表される映像を拡大および縮小することにより液晶ライトバルブ５２Ｒ，５２Ｇ，５２Ｂの持つ解像度に合わせるスケーリング処理や、１秒間における描画更新回数を示すフレームレート変換などが含まれる。映像信号Dinは、このような映像信号処理が施され、デジタル映像信号Dscとして出力される。
【００２８】
映像信号補正部６１は、映像信号Dscの有する階調値を液晶ライトバルブ５２Ｒ，５２Ｇ，５２Ｂで表示するのに適した階調値に変換するγ補正や、液晶ライトバルブ５２Ｒ，５２Ｇ，５２Ｂに固有の輝度むらなどに起因する色むら補正処理を施し、さらにＤ／Ａ変換を施したアナログ映像信号Voutを出力する。
【００２９】
また、映像信号補正部６１は、例えば、映像信号Vinにて表される映像に、映像ソース名を重畳させるというような、ＯＳＤ（On-Screen Display）機能を司る。映像信号補正部６１は、制御部６６からのＯＳＤ信号に従い、ＯＳＤメモリー６２から、例えば、「映像ソース名」や、映像ソースの「探索画面」を読み出し、映像信号Dscに重畳する。
映像信号補正部６１は、映像信号Vinが入力されていない場合、例えば、青色ベタの画面に「映像ソース名」と、「映像信号が入力されていません」という文字が表された「スタンバイ画面」をＯＳＤメモリー６２から読み出し、「スタンバイ画面」を表す映像信号Voutを生成して出力する。
ＯＳＤメモリー６２は、不揮発性のメモリーであり、「映像ソース名」や、映像ソースの「探索画面」の各種態様、「スタンバイ画面」など、ＯＳＤに用いられるプロジェクター１００の操作状態を示す画面や各種文字パターンなどを記憶している。
【００３０】
液晶パネル駆動部６３は、液晶ドライバーであり、液晶ライトバルブ５２Ｒ，５２Ｇ，５２Ｂに映像信号Voutと、駆動電圧などを供給し、液晶ライトバルブ５２Ｒ，５２Ｇ，５２Ｂに映像を写し出す。
光学部６４は、ランプ５１が放射する白色光を輝度分布の安定した略平行光に変換するインテグレータ光学系と、輝度分布の安定した白色光を光の３原色である赤色、緑色、青色の各色光成分に分離して各色光用の液晶ライトバルブ５２Ｒ，５２Ｇ，５２Ｂに供給する分離光学系（いずれも図示せず）と、液晶ライトバルブ５２Ｒ，５２Ｇ，５２Ｂにて色光毎に映像信号Voutに応じて変調された各色光の変調光を、再度合成する合成光学系とを含んで構成されている。
液晶ライトバルブ５２Ｒ，５２Ｇ，５２Ｂからの各色光の変調光は、青色光を反射し緑色光を透過するダイクロイック膜７１と、赤色光を反射し緑色光を透過するダイクロイック膜７２と、を備える合成光学系としてのクロスダイクロイックプリズム７３により合成され、映像信号Voutに応じて変調されたフルカラーで略平行光の変調光として射出される。
【００３１】
投写レンズ６５は、凸レンズなどの複数のレンズから構成されており、クロスダイクロイックプリズム７３からの変調光を拡大して投写光とし、スクリーンＳＣに映像を投写する。投写レンズ６５は、投写光の拡大率を調整するズーム機能や、投写光の焦点を調整するフォーカス機能を有している。
制御部６６は、ＣＰＵ（Central Processing Unit）であり、バスラインＢｕｓを介して、各部との信号のやり取りを行い、また、操作受付部５５からの操作信号などに沿って各部の動作を制御する。
記憶部６７は、例えば、フラッシュメモリーなどデータの書き換えが可能な不揮発性のメモリーにより構成されている。記憶部６７には、プロジェクター１００の動作を指示および制御するための様々な制御プログラムや、ファームウエア、および付随するデータが記憶されている。
制御プログラムには、映像信号を供給している映像ソースを探索するための探索支援プログラムとしての「映像探索プログラム」が含まれている。付随するデータとしては、例えば、「映像探索プログラム」を実行するまえに入力セレクターが選択していた入力端子名などが含まれる。
【００３２】
電源部６８は、外部電源８０からの交流電力をプラグから導き、内蔵するＡＣ／ＤＣ変換部（いずれも図示せず）にて変圧、整流および平滑するなどの処理を施すことにより安定化させた直流電圧をプロジェクター１００の各部に供給する。
ランプ駆動部６９は、電源部６８からの電力供給を受け、放電式ランプであるランプ５１を点灯するために高電圧を発生して放電経路を形成するイグナイタ回路と、点灯後の安定した点灯状態を維持するためのバラスト回路（いずれも図示せず）を備えている。
【００３３】
《第１の映像ソース選択方法》
第１実施形態では、２画面表示開始命令が入力されると、異なる、または同一の２つの映像ソースから入力された入力信号にて表される映像を、１つのスクリーンＳＣに同時に投写し表示する。
図２は、２画面表示中の画面配置の一例を示す図である。図２に示すように、２つの映像を、例えば、左右に並べた形で表示する。以下、一方の画面を画面Ａ、もう一方の画面を画面Ｂとする。
図３は、第１実施形態に係る、２画面表示開始命令が入力された際の映像ソース選択方法を示したフローチャートである。
図４は、入力端子を切り替える際の選択順番を示す図である。また、図５，図６は、第１実施形態における表示画面の一例を示す図である。
ここでは、図３を中心に、適宜図１，図２、および図４〜図６を参照しながら、プロジェクター１００における映像ソース選択方法の一様態について説明する。
【００３４】
第１実施形態に係る映像ソース選択方法は、プロジェクター１００を起動した後、リモコン５４の「２画面設定ボタン」により、２画面表示開始命令が入力された場合に行われる映像ソース選択方法である。
リモコン５４の「２画面設定ボタン」の操作がなされると、操作受付部５５から制御部６６へ操作信号が送られる。操作信号を受信した制御部６６は、入力セレクター５６ａおよび入力セレクター５６ｂにより、第１実施形態に係る映像ソース選択方法にて入力端子Ｔ１〜Ｔ６のいずれかを選択させ、対応する映像信号にて表される映像を２画面として投写させる。このとき、例えば入力セレクター５６ａにて選択された入力端子に対応する映像を画面Ａに表示した場合、入力セレクター５６ｂにて選択された入力端子に対応する映像は画面Ｂに表示される。
【００３５】
第１実施形態に係る映像ソース選択方法は、図３に示すようなステップで実行される。
ステップＳ１１では、制御部６６は、入力セレクター５６ａに、２画面表示が開始される直前に選択されていた映像ソースに対応する入力端子を選択させる。これにより、画面Ａに投写される映像は、２画面表示が開始される直前に表示されていた映像と同じ映像となる。
【００３６】
ステップＳ２０で表される一連のステップは、画面Ｂに投写される映像の映像ソースを選択させるものであり、ステップＳ２１〜ステップＳ２３から成る。
ステップＳ２１では、制御部６６は、入力セレクター５６ｂが選択している入力端子の次の選択順番の入力端子を選択させる。このとき、映像ソース選択処理が開始されてから初めてステップＳ２１が実行される場合は、入力端子として、２画面表示が開始される直前に選択されていた入力端子の次の端子を選択させる。入力端子の選択順番は、図４に示す通りである。例えば、最初に入力端子Ｔ２が選択されていた場合は、図４に示す「入力端子Ｔ３」→「入力端子Ｔ４」→「入力端子Ｔ５」→「入力端子Ｔ６」→「入力端子Ｔ１」→「入力端子Ｔ２」というように循環する。  
【００３７】
ステップＳ２２では、制御部６６は、ステップＳ２１で選択された入力端子に対応する映像ソースからの映像信号の有無を識別部５７ｂにより確認させる。映像信号の入力があった場合、ステップＳ３１へ進む。映像信号の入力がなかった場合、ステップＳ２３へ進む。
ステップＳ２３では、制御部６６は、入力端子Ｓ１〜Ｓ６の全てについて、映像信号の探索を行ったか確認する。全ての入力端子についての探索が終わった場合、２画面表示が開始される直前に、入力セレクター５６ｂが選択していた入力端子が選択された状態で、ステップＳ３１へ進む。まだ探索していない入力端子がある場合、ステップＳ２１へ戻る。
【００３８】
ステップＳ３１では、制御部６６は、入力セレクター５６ａおよび入力セレクター５６ｂが現在選択する入力端子に入力された映像信号により、映像を２画面で投写させる。例えば、図５は、画面Ａに映像ソース「Computer1」，画面Ｂに映像ソース「Computer2」が選択された場合の画面を表している。
またこのとき、入力セレクター５６ａおよび入力セレクター５６ｂが現在選択する入力端子に映像信号が入力されていない場合は、当該画面に無信号を示すメッセージを表示させる。例えば、図６は、画面Ａに映像ソース「Computer1」，画面Ｂに映像ソース「Computer2」が選択され、映像ソース「Computer1」には信号が入力されていない場合の画面を表している。
【００３９】
上述した通り、本実施形態によれば以下の効果が得られる。
（１）制御部６６は、リモコン５４にて２画面設定ボタン操作がなされると、異なる２つの映像ソース、または同一の２つの映像ソースから入力された入力信号にて表される映像を、１つの表示デバイスに同時に表示させる。このとき、画面Ａで選択されている映像ソースは、２画面表示が開始される直前に選択されていた映像ソースがそのまま引き継がれ、自動的に映像が表示される。
よって、プロジェクター１００において２画面表示を開始する際に、使用者は画面Ａに表示させる映像ソースを選択する手間を省略することができる。
【００４０】
（２）また、リモコン５４の２画面設定ボタン操作により２画面表示が開始されると、制御部６６は、画面Ｂに対して、映像信号の入力が確認された入力端子からの映像信号による映像を優先して投写させる。
よって、プロジェクター１００において２画面表示を開始する際に、使用者は画面Ｂに表示させる映像ソースを選択する手間を省略することができ、映像信号を出力している映像ソースを効率よく探索することができる。
【００４１】
以上により、使用者は２画面表示設定を入力するだけで、映像信号が入力されている入力端子が確実に選択され、意図した映像ソースの組み合わせで２画面表示が行われる。これにより、操作性の良いプロジェクター１００を提供することができる。
【００４２】
（第２実施形態）
《第２の映像ソース選択方法》
第２実施形態に係る映像ソース選択方法は、第１実施形態と同様、プロジェクター１００を起動した後、リモコン５４の「２画面設定ボタン」により、２画面表示開始命令が入力された場合に行われる映像ソース選択方法である。
プロジェクターの構成は、図１で表される第１実施形態のプロジェクター１００と同様である。また、第２実施形態に係る、２画面表示開始命令が入力された際の映像ソース選択方法についても、第１実施形態と同様、図３で示したフローチャートで表される。ただし、図３の一部のステップにおいて、処理の内容が異なる。
ここでは、図３を中心に、適宜図１，図２および図４を参照しながら、第１実施形態での説明との相違点についてのみ説明する。
【００４３】
プロジェクター１００が２画面で投写している場合、リモコン５４にて「２画面設定ボタン」操作がなされると、制御部６６は、入力セレクター５６ａで選択されている入力端子から入力された映像信号にて表される映像のみ、１画面で表示させる。これにより、２画面表示時の画面Ａに表示されていた映像のみが残り、画面Ｂに表示されていた映像は消去される。
このとき、制御部６６は、２画面表示を終了する直前に画面Ｂで選択されていた映像ソースに対応する入力端子を、記憶部６７に記憶させる。
【００４４】
ステップＳ２１では、制御部６６は、入力セレクター５６ｂが選択している入力端子の次の選択順番の入力端子を選択させる。入力端子の選択順番は、図４に示す通りである。
このとき、映像ソース選択処理が開始されてから初めてステップＳ２１が実行される場合は、入力セレクター５６ｂに、記憶部６７に記憶されている前回の２画面表示終了時に選択されていた入力端子を選択させる。例えば、前回の２画面表示終了時に選択されていた入力端子が「入力端子Ｔ４」であった場合は、入力セレクター５６ａの初期状態に係わらず、「入力端子Ｔ４」→「入力端子Ｔ５」→「入力端子Ｔ６」→「入力端子Ｔ１」→「入力端子Ｔ２」→「入力端子Ｔ３」の順で選択される。
【００４５】
第２実施形態に係る映像ソース選択方法は、上記以外の点については、第１実施形態に係る映像ソース選択方法の場合と同様である。
【００４６】
上述した通り、本実施形態によれば、第１実施形態の効果に加えて以下の効果が得られる。
（１）制御部６６は、リモコン５４にて２画面設定ボタン操作がなされると、画面Ｂに対して、映像信号が入力されている入力端子に対応する映像ソースの中から、特に前回２画面表示を終了した際に画面Ｂで選択されていた映像ソースを優先して選択し、映像を投写させる。
よって、プロジェクター１００において、使用者は２画面表示開始命令を入力するだけで、前回の使用状況を速やかに再現することができる。
【００４７】
（２）また、記憶部６７は不揮発性メモリーであるため、プロジェクター１００の電源を一度切断した場合においても、同様に前回の使用状況を速やかに再現することができる。
【００４８】
（第３実施形態）
《第３の映像ソース選択方法》
図７は、第３実施形態に係る映像表示装置としてのプロジェクター概略構成の一部を示すブロック図である。プロジェクター２００は、入力セレクター１５６ａおよび入力セレクター１５６ｂが、それぞれ図１の入力セレクター５６ａおよび入力セレクター５６ｂと入れ替わっていることを除き、第１実施形態のプロジェクター１００と同様である。
入力セレクター１５６ａは、入力端子Ｔ１，Ｔ２，Ｔ４，Ｔ５の選択スイッチであり、制御部６６からの選択信号に従い、４つの入力端子Ｔ１，Ｔ２，Ｔ４，Ｔ５の内、いずれか１つを選択する。また、入力セレクター１５６ｂは、入力端子Ｔ３，Ｔ６の選択スイッチであり、制御部６６からの選択信号に従っていずれか１つを選択する。
これらの構成により、２画面表示を行う際、画面Ａおよび画面Ｂで選択可能な映像ソースの組み合わせが制限される。つまり、画面Ａの映像ソースとして、入力セレクター１５６ａで選択できる映像ソースが選択されている場合は、画面Ｂの映像ソースとして選択可能な入力端子は、入力セレクター１５６ｂが選択できる入力端子Ｔ３，Ｔ６に限られる。なお入力セレクター１５６ａ，１５６ｂと、画面Ａ，Ｂとの対応については制限がない。
図８は、第３実施形態のプロジェクター２００における選択可能な映像ソースの組み合わせを示した表である。
選択可能な映像ソースの組み合わせは、あらかじめデータまたはプログラムとして記憶部６７に記憶されている。
【００４９】
第３実施形態に係る、２画面表示開始命令が入力された際の映像ソース選択方法については、第１実施形態と同様、図３で示したフローチャートで表される。ただし、図３の一部のステップにおいて、処理の内容が異なる。
図９は、入力端子を切り替える際の選択順番を示す図である。
ここでは、図３を中心に、適宜図１，図２，図４および図７〜図９を参照しながら、第１実施形態での説明との相違点についてのみ説明する。
【００５０】
ステップＳ２１では、制御部６６は、入力セレクター１５６ａが選択している入力端子の次の選択順番の入力端子を選択させる。入力端子の選択順番は、図４に示す通りである。
ただし、このとき記憶部６７から「選択可能な映像ソースの組み合わせ」を読み出し、画面Ａで既に選択されている映像ソースと同時に選択することのできない映像ソースについては、入力端子の選択をスキップさせる。例えば、画面Ａにて映像ソース「Computer1」が選択されていた場合は、図９に示すように「入力端子Ｔ３（DVI-D）」→「入力端子Ｔ６（HDMI）」の順で選択される。
【００５１】
第３実施形態に係る映像ソース選択方法は、上記以外の点については、第１実施形態に係る映像ソース選択方法の場合と同様である。
【００５２】
上述した通り、本実施形態によれば、第１実施形態の効果に加えて以下の効果が得られる。
制御部６６は、リモコン５４にて２画面設定ボタン操作がなされると、２画面の映像ソースの組み合わせを考慮し、画面Ｂに対して２画面投写が可能な入力端子のみを対象として信号入力の有無を識別させる。
よって、プロジェクター２００において、表示すべき映像ソースが選択されるまでの時間が短縮され、速やかに２画面表示を行うことが可能となる。
【００５３】
なお、本発明は上述した実施形態に限定されず、上述した実施形態に種々の変更や改良などを加えることが可能である。変形例を以下に述べる。
【００５４】
（変形例１）
図３を用いて説明する。前記各実施形態において、ステップＳ２０で表される映像ソース選択方法は画面Ｂに対してのみ行うものとして説明したが、これに限定するものではなく、任意の画面に対して適用可能である。
すなわち、画面Ａの選択方法についても、前記実施形態における画面Ｂの選択方法と同様、ステップＳ２０で表される方法として良い。これにより、両方の画面に対して、映像信号の入力が確認された入力端子からの映像信号による映像を優先して投写させることができる。
また、第２実施形態において本変形例を適用する場合は、２画面表示を終了する際に、それぞれの画面で選択されていた映像ソースに対応する入力端子を、すべて記憶部６７に記憶させると良い。
【００５５】
（変形例２）
図１を用いて説明する。前記各実施形態および変形例において、プロジェクター１００およびプロジェクター２００は、複数の映像ソースから２つの映像ソースを選択し、１つの表示デバイスに２画面で表示することができるプロジェクターとして説明したが、これに限定するものではない。
例えば、入力セレクター５６，識別部５７，映像コンバーター５８をそれぞれ複数（３つ以上）搭載し、複数の映像ソースの映像を複数画面で表示することができるプロジェクターにも適用できる。またこの場合、映像ソース選択方法は、投写する複数画面のうち、いずれの画面にも適用可能である。
【００５６】
（変形例３）
図１を用いて説明する。前記各実施形態および変形例において、プロジェクター１００およびプロジェクター２００は、映像信号処理部５９，フレームメモリー６０，映像信号補正部６１を１つずつ用いた構成として説明したが、これに限定するものではない。
例えば、複数画面に表示するための手段として、映像信号処理部５９，フレームメモリー６０，映像信号補正部６１をそれぞれ画面数だけ用いて構成し、映像信号処理や映像信号補正をそれぞれの画面で独立して行う方式のプロジェクターであっても、前記実施形態および変形例と同様の作用および効果を得ることができる。
【００５７】
（変形例４）
図１を用いて説明する。前記各実施形態および変形例において、映像ソースとしては、「Computer1」，「Computer2」，「DVI-D」，「S-Video」，「Video」，「HDMI」の６種類を例にとって説明したが、本発明はこれに限定されるものではない。
例えば、さらに、映像ソースとして「コンポーネントビデオ」と「BNC」を加え、それぞれに対応する入力端子、ミニＤ-sub１５ピン端子とＢＮＣ端子とを増設した構成であっても良い。
また、ＵＳＢなどのシリアル通信端子やＬＡＮなどの通信手段による映像ソースを用いた場合であっても、前記実施形態および変形例と同様の作用および効果を得ることができる。
【００５８】
（変形例５）
図１を用いて説明する。前記各実施形態および変形例において、プロジェクター１００およびプロジェクター２００は、光変調素子として３枚の液晶ライトバルブ５２Ｒ，５２Ｇ，５２Ｂを用いた液晶３板式の投写型プロジェクターとして説明したが、これに限定するものではない。
例えば、プロジェクターは、赤、緑、青色のカラーフィルターが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。
これらの構成であっても、前記実施形態および変形例と同様の作用効果を得ることができる。
【００５９】
（変形例６）
図１を用いて説明する。前記各実施形態および変形例において、プロジェクター１００およびプロジェクター２００は、光源として放電式ランプを用いているが、これに限らず、ＬＥＤやレーザーなどの固体光源を光源に用いてもよい。
【００６０】
（変形例７）
図１を用いて説明する。前記各実施形態および変形例において、本発明の映像ソース選択方法をフロント型のプロジェクター１００およびプロジェクター２００に適用した例を説明したが、本発明はこれに限定されるものではない。例えば、リア型のプロジェクションテレビ、液晶テレビ、プラズマテレビ、ＣＲＴテレビ、パーソナルコンピューターモニター、有機ＥＬディスプレイ、その他各種の映像表示装置に適用することができる。
【符号の説明】
【００６１】
５１…光源部としてのランプ、５２Ｒ，５２Ｇ，５２Ｂ…表示部および光変調素子としての液晶ライトバルブ、５３…操作部、５４…操作部としてのリモコン、５５…操作受付部、５６ａ，５６ｂ…入力セレクター、５７ａ，５７ｂ…識別部、５８ａ，５８ｂ…映像コンバーター、５９…映像信号処理部、６０…フレームメモリー、６１…映像信号補正部、６２…ＯＳＤメモリー、６３…液晶パネル駆動部、６４…光学部、６５…投写レンズ、６６…制御部、６７…記憶部、６８…電源部、６９…ランプ駆動部、７１，７２…ダイクロイック膜、７３…クロスダイクロイックプリズム、８０…外部電源、１００…プロジェクター、Ｔ１〜Ｔ６…入力端子。
【図１】
2011205419.tif 000003
【図２】
2011205419.tif 000004
【図３】
2011205419.tif 000005
【図４】
2011205419.tif 000006
【図５】
2011205419.tif 000007
【図６】
2011205419.tif 000008
【図７】
2011205419.tif 000009
【図８】
2011205419.tif 000010
【図９】
2011205419.tif 000011